(57)【要約】【課題】照明機器の状態情報を汎用ネットワークを通して伝送する構成であって汎用ネットワークのトラフィックの集中を抑制する。【解決手段】調光システム１２から得られる状態情報を収集する中継装置１０と中継装置１０が収集した照明機器の状態情報が転送されるセンタサーバ２０とが汎用ネットワークＮＷを介して接続される。中継装置１０は、調光システム１２の状態に関する状態情報を一時的に蓄積する。中継装置１０は規定した条件が満たされたときに汎用ネットワークＮＷを通して状態情報をセンタサーバ２０に転送する。【選択図】　　　　図１
2004104753.tif 000002
【特許請求の範囲】
【請求項１】
照明機器の調光制御が可能な調光システムと、調光システムから取得した調光システムの状態に関する状態情報を一時的に蓄積する中継装置と、中継装置に汎用ネットワークを介して接続され中継装置が蓄積している複数の調光システムに関する状態情報を汎用ネットワークを通して取得するサーバ装置と、汎用ネットワークに接続され状態情報をサーバ装置から取得する端末装置とを備え、中継装置は規定した条件が満たされたときに汎用ネットワークを通して状態情報をサーバ装置に転送することを特徴とする遠隔監視型照明システム。
【請求項２】
前記端末装置はウェブページの閲覧機能を有し、前記サーバ装置は、許可された使用者の用いる端末装置による閲覧が可能なウェブページに前記状態情報を呈示するウェブページ呈示部を備えることを特徴とする請求項１記載の遠隔監視型照明システム。
【請求項３】
前記サーバ装置は、ウェブページ呈示部により呈示するウェブページを使用者ごとに対応付けたユーザデータベースと、前記端末装置からの使用者の認証用のデータをユーザデータベースに照合するとともに認証用のデータに対応する使用者がユーザデータベースに登録されているときにユーザデータベースにおいて使用者に対応付けられているウェブページの呈示をウェブページ呈示部に指示するアクセス権判定部とを備えることを特徴とする請求項２記載の遠隔監視型照明システム。
【請求項４】
前記端末装置は電子メールの受信機能を有し、前記サーバ装置は、前記中継装置から取得した前記状態情報に管理者に通知する必要のある状態情報が含まれているときに、あらかじめ登録された端末装置に対して電子メールにより状態情報を即時に通知するメール処理部を備えることを特徴とする請求項１記載の遠隔監視型照明システム。
【請求項５】
前記サーバ装置は、前記電子メールの送信先を日時別に設定したタイムスケジュールを登録するスケジュールデータベースと、異常が発生した日時をスケジュールデータベースに照合して当該日時に対応した送信先を取得するとともに当該送信先を前記メール処理部に送信先として引き渡す照合処理部と、タイムスケジュールの登録にあたって日毎の予定記入欄を有したカレンダ形式の予定表領域を備えるウェブページをウェブページ呈示部に呈示させるスケジュール設定部とを備えることを特徴とする請求項４記載の遠隔監視型照明システム。
【請求項６】
前記中継装置は、前記調光システムに含まれる照明機器の構成が登録されるデータ取得設定ファイルと、データ取得設定ファイルの内容により前記状態情報を集計するタイミングを決める集計条件および集計した状態情報を前記サーバ装置に転送するタイミングを決める転送条件を設定するタイミング決定部と、タイミング決定部に設定した集計条件により決まるタイミングで状態情報を集計するデータ集計部と、データ集計部で集計した状態情報をタイミング決定部に設定した転送条件により決まるタイミングでサーバ装置に転送させるデータ管理部とを備えることを特徴とする請求項１記載の遠隔監視型照明システム。
【請求項７】
前記調光システムは、複数の照明機器を備え、照明機器の動作を操作する機能と照明機器の状態情報を収集するとともに収集した状態情報を中継装置に引き渡す機能とを有した所定の機器を照明機器と前記中継装置との間に備え、前記データ取得設定ファイルには照明機器ごとに前記所定の機器の種類と台数とが登録され、前記タイミング決定部は前記所定の機器の種類と台数とを用いて前記タイミングを決定することを特徴とする請求項６記載の遠隔監視型照明システム。
【請求項８】
前記照明機器が複数個設けられ、前記データ取得設定ファイルには照明機器の状態情報の種類ごとの重要度が登録され、前記タイミング決定部は前記重要度を用いて前記タイミングを決定することを特徴とする請求項６記載の遠隔監視型照明システム。
【請求項９】
前記照明機器が複数個設けられ、前記データ取得設定ファイルには照明機器の種類と台数とが登録され、前記タイミング決定部は照明機器の種類および台数を用いて前記タイミングを決定することを特徴とする請求項６記載の遠隔監視型照明システム。
【請求項１０】
前記中継装置が前記サーバ装置との間の前記汎用ネットワークの帯域を計測する帯域監視部を備えるとともに、帯域監視部が計測した帯域が前記データ取得設定ファイルに格納され、前記タイミング決定部はデータ取得設定ファイルに格納された汎用ネットワークの帯域に基づいて中継装置から前記照明機器の状態情報を前記サーバ装置に転送するタイミングを決定することを特徴とする請求項６記載の遠隔監視型照明システム。
【請求項１１】
前記調光システムは、照明機器から得られる特定のアナログ量について複数段階の閾値で警告レベルを判別し、前記状態情報として各警告レベルを用いることを特徴とする請求項１ないし請求項６のいずれか１項に記載の遠隔監視型照明システム。
【請求項１２】
前記調光システムは、調光システムにおける異常の発生の有無を監視する異常監視部と、前記状態情報を履歴として蓄積する運用情報蓄積部と、異常監視部において異常の発生が検出されたときに運用情報蓄積部から運用情報を読み出してサーバ装置に転送させる運用情報管理部とを備えることを特徴とする請求項１ないし請求項６のいずれか１項に記載の遠隔監視型照明システム。
【請求項１３】
前記中継装置は前記調光システムに設けた所定の機器の電源のオンおよびオフを前記サーバ装置に即時に転送する機能を有し、サーバ装置は中継装置から受け取った機器ごとの電源のオンからオフまでの時間をそれぞれ積算する積算演算部を備えることを特徴とする請求項１ないし請求項６のいずれか１項に記載の遠隔監視型照明システム。
【請求項１４】
照明機器の調光制御が可能な調光システムから得られる照明機器の状態情報を収集するとともに汎用ネットワークを介してサーバ装置に接続され収集した照明機器の状態情報をサーバ装置に転送する中継装置であって、照明機器の構成が登録されるデータ取得設定ファイルと、データ取得設定ファイルの内容により照明機器から状態情報を集計するタイミングおよび集計した状態情報をサーバ装置に転送するタイミングを設定するタイミング決定部と、タイミング決定部で求めたタイミングで照明機器の状態情報を集計するデータ集計部と、データ集計部で集計した照明機器の状態情報をタイミング決定部で求めたタイミングで第１の記憶装置に格納するとともに汎用ネットワークを通してサーバ装置に転送させる第１のデータ管理部とを備えることを特徴とする中継装置。
【請求項１５】
請求項１４記載の中継装置に汎用ネットワークを介して接続され中継装置が収集した照明機器の状態情報が転送されるサーバ装置であって、中継装置から受信した照明機器の状態情報を第２の記憶装置に格納する第２のデータ管理部と、中継装置から受信した照明機器の状態情報の中に管理者に通知する必要のある状態情報が含まれているときに汎用ネットワークに接続された端末装置に電子メールを発信するメール処理部とを備えることを特徴とするサーバ装置。
【発明の詳細な説明】
【０００１】
【発明の属する技術分野】
本発明は、遠方に設けた照明機器の状態を監視する遠隔監視型照明システム、中継装置、サーバ装置に関するものである。
【０００２】
【従来の技術】
従来から、スタジオ、舞台、宴会場などでは、照明機器として、種々の照明器具が用いられるとともに、照明器具あるいは背景用パネルなどを昇降させるための昇降装置が必要に応じて用いられる。この種の用途では、照明器具の光出力や投光方向を操作するとともに、昇降装置の昇降動作を操作するために、多数の操作部を備えた操作卓が設けられる。また、操作卓の操作を反映させて照明器具や昇降装置を制御するために、操作卓と照明器具との間には調光器を備える調光制御盤が設けられ、操作卓と昇降装置との間には操作卓からの指示を受けて昇降装置に電源を供給する昇降制御盤が設けられる。
【０００３】
この種の照明システムの一例として、操作卓に複数台の調光器を接続し、操作卓での操作に応じて調光器により照明装置の調光制御等を行うようにした調光システムを用い、操作卓の状態情報を調光システムサーバに出力することによって、調光システムサーバにおいて調光器の状態を監視することができるようにした調光システム装置が提案されている（たとえば、特許文献１参照）。この調光システム装置では、調光システムサーバが汎用ネットワークに接続され、汎用ネットワークにはクライアントが接続されている。また、特許文献１には汎用ネットワークに統括サーバを設けた構成も記載されている。
【０００４】
統括サーバを用いていない構成では、クライアントが調光システムサーバにアクセスすることによって、クライアントから調光システムを制御したりクライアントにおいて調光器の状態を監視したりすることが可能になっている。ただし、統括サーバを用いない構成では、クライアントが調光システムサーバにアクセスするたびに調光システムサーバを指定する必要があって手間がかかる上に、１回のアクセスでは１つの調光システムの状態しか確認することができないという問題を有していることが特許文献１に記載されている。
【０００５】
一方、統括サーバを用いる構成では、クライアントから調光システムサーバにアクセス可能とするだけではなく、統括サーバが調光システムサーバに対して調光システムの監視状態の伝送を定期的に要求し、返送された状態情報を統括サーバに記憶させている。統括サーバはクライアントの要求に応じて記憶した状態情報をクライアントに転送する機能を備える。したがって、クライアントは、統括サーバにアクセスするだけで、複数の調光システムの状態情報を取得することができることになる。
【０００６】
このように調光システムの状態情報をクライアントが取得することによって、調光システムサーバの遠方で照明機器の動作を監視することができ、たとえば照明機器の異常の兆候や異常の発生をセンタサーバで把握したときに、照明機器の設置現場にメンテナンス要員を派遣して照明機器の補修や点検を行うことが可能になる。
【０００７】
【特許文献１】
特開２００１−２４４０８３号公報（第０００５−００１０段落、第００４７−００４８段落、図１、図１４）
【０００８】
【発明が解決しようとする課題】
ところで、上述した調光システム装置では、統括サーバを用いることによって複数の調光システムを設けながらもクライアントからのアクセスが容易になっているが、統括サーバは各調光システムサーバに定期的にアクセスすることによって調光システムの状態を獲得しているものであるから、各調光システムに含まれる照明機器の構成の相違によって調光システムサーバに記憶するデータ量も相違し、結果的に各調光システムサーバから統括サーバにデータを伝送する際の汎用ネットワークのトラフィックも調光システムサーバごとに相違する。言い換えると、統括サーバが調光システムサーバに定期的にアクセスする構成では、データの伝送時間が最大になる調光システムサーバに合わせてアクセスの周期を設定することになり、アクセスの周期が比較的長くなる。その結果、調光システムサーバの台数が多くなれば統括サーバから調光システムサーバにアクセスする周期が非常に長くなり、照明機器に異常が生じたときなどに迅速に対応することができないという問題が生じる。したがって、調光システムサーバから統括サーバにデータを収集する周期を調光システムの構成によって変更可能な構成を採用することが望ましい。
【０００９】
本発明は上記事由に鑑みて為されたものであり、その目的は、調光システムに含まれる照明機器の構成によらず汎用ネットワークのトラフィックの集中を抑制可能な遠隔監視型照明システムを提供することにあり、さらに当該遠隔監視型照明システムに用いる中継装置とサーバ装置とを提供することにある。
【００１０】
【課題を解決するための手段】
請求項１の発明は、照明機器の調光制御が可能な調光システムと、調光システムから取得した調光システムの状態に関する状態情報を一時的に蓄積する中継装置と、中継装置に汎用ネットワークを介して接続され中継装置が蓄積している複数の調光システムに関する状態情報を汎用ネットワークを通して取得するサーバ装置と、汎用ネットワークに接続され状態情報をサーバ装置から取得する端末装置とを備え、中継装置は規定した条件が満たされたときに汎用ネットワークを通して状態情報をサーバ装置に転送することを特徴とする。なお、中継装置が状態情報をサーバ装置に転送する際の「規定した条件」とは、後述するタイミング決定部に設定する転送条件（一定時間）のほか、調光システムにおける異常の発生、調光システムに設けた照明機器の電源のオンオフ操作、状態情報におけるアナログ量の閾値への到達などを意味する。
【００１１】
請求項２の発明では、請求項１の発明において、前記端末装置はウェブページの閲覧機能を有し、前記サーバ装置は、許可された使用者の用いる端末装置による閲覧が可能なウェブページに前記状態情報を呈示するウェブページ呈示部を備えることを特徴とする。
【００１２】
請求項３の発明では、請求項２の発明において、前記サーバ装置は、ウェブページ呈示部により呈示するウェブページを使用者ごとに対応付けたユーザデータベースと、前記端末装置からの使用者の認証用のデータをユーザデータベースに照合するとともに認証用のデータに対応する使用者がユーザデータベースに登録されているときにユーザデータベースにおいて使用者に対応付けられているウェブページの呈示をウェブページ呈示部に指示するアクセス権判定部とを備えることを特徴とする。
【００１３】
請求項４の発明では、請求項１の発明において、前記端末装置は電子メールの受信機能を有し、前記サーバ装置は、前記中継装置から取得した前記状態情報に管理者に通知する必要のある状態情報が含まれているときに、あらかじめ登録された端末装置に対して電子メールにより状態情報を即時に通知するメール処理部を備えることを特徴とする。
【００１４】
請求項５の発明では、請求項４の発明において、前記サーバ装置は、前記電子メールの送信先を日時別に設定したタイムスケジュールを登録するスケジュールデータベースと、異常が発生した日時をスケジュールデータベースに照合して当該日時に対応した送信先を取得するとともに当該送信先を前記メール処理部に送信先として引き渡す照合処理部と、タイムスケジュールの登録にあたって日毎の予定記入欄を有したカレンダ形式の予定表領域を備えるウェブページをウェブページ呈示部に呈示させるスケジュール設定部とを備えることを特徴とする。
【００１５】
請求項６の発明では、請求項１の発明において、前記中継装置は、前記調光システムに含まれる照明機器の構成が登録されるデータ取得設定ファイルと、データ取得設定ファイルの内容により前記状態情報を集計するタイミングを決める集計条件および集計した状態情報を前記サーバ装置に転送するタイミングを決める転送条件を設定するタイミング決定部と、タイミング決定部に設定した集計条件により決まるタイミングで状態情報を集計するデータ集計部と、データ集計部で集計した状態情報をタイミング決定部に設定した転送条件により決まるタイミングでサーバ装置に転送させるデータ管理部とを備えることを特徴とする。
【００１６】
請求項７の発明では、請求項６の発明において、前記調光システムは、複数の照明機器を備え、照明機器の動作を操作する機能と照明機器の状態情報を収集するとともに収集した状態情報を中継装置に引き渡す機能とを有した所定の機器を照明機器と前記中継装置との間に備え、前記データ取得設定ファイルには照明機器ごとに前記所定の機器の種類と台数とが登録され、前記タイミング決定部は前記所定の機器の種類と台数とを用いて前記タイミングを決定することを特徴とする。
【００１７】
請求項８の発明では、請求項６の発明において、前記照明機器が複数個設けられ、前記データ取得設定ファイルには照明機器の状態情報の種類ごとの重要度が登録され、前記タイミング決定部は前記重要度を用いて前記タイミングを決定することを特徴とする。
【００１８】
請求項９の発明では、請求項６の発明において、前記照明機器が複数個設けられ、前記データ取得設定ファイルには照明機器の種類と台数とが登録され、前記タイミング決定部は照明機器の種類および台数を用いて前記タイミングを決定することを特徴とする。
【００１９】
請求項１０の発明では、請求項６の発明において、前記中継装置が前記サーバ装置との間の前記汎用ネットワークの帯域を計測する帯域監視部を備えるとともに、帯域監視部が計測した帯域が前記データ取得設定ファイルに格納され、前記タイミング決定部はデータ取得設定ファイルに格納された汎用ネットワークの帯域に基づいて中継装置から前記照明機器の状態情報を前記サーバ装置に転送するタイミングを決定することを特徴とする。
【００２０】
請求項１１の発明では、請求項１ないし請求項６の発明において、前記調光システムは、照明機器から得られる特定のアナログ量について複数段階の閾値で警告レベルを判別し、前記状態情報として各警告レベルを用いることを特徴とする。
【００２１】
請求項１２の発明では、請求項１ないし請求項６の発明において、前記調光システムは、調光システムにおける異常の発生の有無を監視する異常監視部と、前記状態情報を履歴として蓄積する運用情報蓄積部と、異常監視部において異常の発生が検出されたときに運用情報蓄積部から運用情報を読み出してサーバ装置に転送させる運用情報管理部とを備えることを特徴とする。
【００２２】
請求項１３の発明では、請求項１ないし請求項６の発明において、前記中継装置は前記調光システムに設けた所定の機器の電源のオンおよびオフを前記サーバ装置に即時に転送する機能を有し、サーバ装置は中継装置から受け取った機器ごとの電源のオンからオフまでの時間をそれぞれ積算する積算演算部を備えることを特徴とする。
【００２３】
請求項１４の発明は、照明機器の調光制御が可能な調光システムから得られる照明機器の状態情報を収集するとともに汎用ネットワークを介してサーバ装置に接続され収集した照明機器の状態情報をサーバ装置に転送する中継装置であって、照明機器の構成が登録されるデータ取得設定ファイルと、データ取得設定ファイルの内容により照明機器から状態情報を集計するタイミングおよび集計した状態情報をサーバ装置に転送するタイミングを設定するタイミング決定部と、タイミング決定部で求めたタイミングで照明機器の状態情報を集計するデータ集計部と、データ集計部で集計した照明機器の状態情報をタイミング決定部で求めたタイミングで第１の記憶装置に格納するとともに汎用ネットワークを通してサーバ装置に転送させる第１のデータ管理部とを備えることを特徴とする。
【００２４】
請求項１５の発明は、請求項１４記載の中継装置に汎用ネットワークを介して接続され中継装置が収集した照明機器の状態情報が転送されるサーバ装置であって、中継装置から受信した照明機器の状態情報を第２の記憶装置に格納する第２のデータ管理部と、中継装置から受信した照明機器の状態情報の中に管理者に通知する必要のある状態情報が含まれているときに汎用ネットワークに接続された端末装置に電子メールを発信するメール処理部とを備えることを特徴とする。
【００２５】
【発明の実施の形態】
本発明は、基本的には図２に示す構成を有するものであって、照明器具や昇降装置からなる照明機器を含み照明機器の制御が可能な調光システム１２に専用ネットワークＮＬを介して中継装置１０が接続され、さらに中継装置１０がインターネットのような汎用ネットワークＮＷを介してサーバ装置（後述するセンタサーバ２０とウェブサーバ２２とを備える）に接続される。中継装置１０は、調光システム１２の状態に関する状態情報を調光システム１２から取得するとともに一時的に蓄積し、蓄積した状態情報をサーバ装置に転送する機能を備える。また、サーバ装置に転送された状態情報は、汎用ネットワークＮＷに接続された端末装置３０において閲覧可能になるか、または端末装置３０に転送される。
【００２６】
以下に説明する実施形態では、図１に示すように、テレビ局ＴＶ１，ＴＶ２，……に対して各調光システム１２を構成する例を示す。各テレビ局ＴＶ１，ＴＶ２，……には少なくとも１つのスタジオ（図示せず）があり、各スタジオには、スタジオ照明用の照明器具や、照明器具あるいは背景用パネルを昇降させる昇降装置などの照明機器（図示せず）が配置される。また、照明機器のうち照明器具は調光制御盤１２ｂに接続され、照明機器のうち昇降装置は昇降制御盤１２ｃに接続される。調光制御盤１２ｂと昇降制御盤１２ｃとは操作卓１２ａとともにハブ１１ｄに接続され、操作卓１２ａと調光制御盤１２ｂと昇降制御盤１２ｃとはハブ１１ｄにスター接続される。操作卓１２ａはスタジオを単位として設けられており、スタジオのような１空間に少なくとも１台の操作卓１２ａが設けられる。すなわち、１単位の調光システム１２は、スタジオのような１空間を単位として、操作卓１２ａと調光制御盤１２ｂと昇降制御盤１２ｃとハブ１１ｄと照明機器とにより構成される。ここに、昇降制御盤１２ｃはスタジオによっては設けない場合もある。通常は、ハブ１１ｄにはテレビ局ＴＶ１，ＴＶ２，……における複数のスタジオの操作卓１２ａ、調光制御盤１２ｂ、昇降制御盤１２ｃを接続し、複数の調光システム１２でハブ１１ｄを共用する。なお、請求項７、請求項１３における「所定の機器」は、操作卓１２ａ、調光制御盤１２ｂ、昇降制御盤１２ｃに相当する。
【００２７】
（第１実施形態）
本実施形態は、図１に示すように、各テレビ局ＴＶ１，ＴＶ２，……に対応する各調光システム１２ごとに中継装置１０を設け、中継装置１０をハブ１１ｄに接続している。つまり、中継装置１０は、ハブ１１ｄを含む専用ネットワークＮＬを通して各調光システム１２に接続され、調光システム１２の状態に関する状態情報を専用ネットワークＮＬを通して取得することが可能になっている。さらに、中継装置１０は、汎用ネットワークＮＷを通してセンタサーバ２０およびウェブサーバ２２からなるサーバ装置に接続されている。センタサーバ２０は、テレビ局ＴＶ１，ＴＶ２，……とは別に設けた管理センタＳＣに設置される。汎用ネットワークＮＷとしては、ＩＳＤＮ回線である公衆回線網ＮＷ１とインターネットＮＷ２とを用いることが可能である。
【００２８】
汎用ネットワークＮＷとして公衆回線網ＮＷ１を用いる場合には、中継装置１０を公衆回線網ＮＷ１に接続するためにダイアルアップルータからなるアクセスルータ１１ａを用い、センタサーバ２０を公衆回線網ＮＷ１に接続するためにルータ２１ａを用いる。この構成によって中継装置１０とセンタサーバ２０とが交換器を通して接続されることになる。
【００２９】
汎用ネットワークＮＷとしてインターネットＮＷ２が介在する場合には、中継装置１０およびセンタサーバ２０とインターネットＮＷ２とを各種形態で接続することが可能であるが、本実施形態ではＡＤＳＬによる接続を想定し、テレビ局ＴＶ１，ＴＶ２，……および管理センタＳＣにそれぞれＡＤＳＬモデム１１ｂ，２１ｂを設けている。中継装置１０とＡＤＳＬモデム１１ｂとの間には、ファイヤウォール１１ｃおよびハブ１１ｄが挿入され、ＡＤＳＬモデム２１ｂとセンタサーバ２０との間には、ファイヤウォール２１ｃおよびハブ２１ｄが挿入される。ファイヤウォール２１ｃとハブ２１ｄとはルータ２１ａとセンタサーバ２０との間でも共用される。ハブ２１ｄにはウェブサーバ２２も接続される。
【００３０】
ウェブサーバ２２は、サイトを設けてウェブページを呈示する機能と、電子メールの発信および受信を行う機能とを備える。インターネットＮＷ２には、インターネット接続機能を有した端末装置３０が接続される。端末装置３０は、ウェブページの閲覧と電子メールの送受信とが可能であれば、パーソナルコンピュータのほかＰＤＡや携帯電話などを用いることが可能である。以下では、汎用ネットワークＮＷにおいてインターネットＮＷ２を用いる場合を例としてさらに具体的に説明する。
【００３１】
操作卓１２ａは、各照明器具の光出力や投光方向を指示したり、各昇降装置の昇降動作を指示したりするために操作する多数の操作部４０（図８参照）を備える。この種の操作部４０は、周知のものであって、操作卓１２ａの電源のオンオフを指示するスイッチ、各照明器具や各昇降装置の電源のオンオフを指示するスイッチ、各照明器具の光出力を指示するフェーダ、各照明器具の投光方向を指示するジョイスティック、各昇降装置の昇降位置を指示するスイッチ、操作者が緊急時に操作するコールスイッチなどを備える。操作卓１２ａにはマイクロコンピュータ（以下、マイコンという）を備えた信号処理部（図示せず）が設けられ、信号処理部は操作部４０の操作に応じた制御データを生成して調光制御盤１２ｂや昇降制御盤１２ｃに与える。また、信号処理部では、電源異常、マイコンの動作異常、コールスイッチの操作などを異常を示す監視項目として監視し、スイッチの操作回数、フェーダおよびジョイスティックの操作回数、使用時間なども監視項目として監視する。
【００３２】
調光制御盤１２ｂは、照明器具（図示せず）ごとに設けた調光器（図示せず）を備えるとともに、操作卓１２ａからの制御データに基づいて各調光器への調光信号を生成するマイコンからなる調光制御部（図示せず）を備える。調光制御部は、各調光器に調光信号を与えることによって調光器から照明器具に供給する電力を制御する。調光制御盤１２ｂにおける調光制御部は、停電、調光器の漏電異常、内蔵したブレーカのオフ、調光器の温度異常などを異常を示す監視項目として監視し、電源電圧および電源電流、調光器の温度、調光制御盤１２ｂの使用時間なども監視項目として監視する。
【００３３】
昇降制御盤１２ｃは、昇降装置（図示せず）を監視制御するものであってプログラマブルロジックコントローラ（図示せず）を備え、昇降装置のモータを正逆に回転させることにより、照明器具や背景用パネルの上下移動を可能とする。昇降装置のモータの回転方向はモータへの給電経路に挿入したマグネットコンタクト（電磁接触器）により切り換えられ、照明器具や背景用パネルのような吊下物はバトンを介して昇降装置に吊下される。昇降制御盤１２ｃでは、吊下物の位置の異常や昇降制御盤１２ｃに内蔵したブレーカのオフ、プログラマブルロジックコントローラの動作異常などを異常を示す監視項目として監視し、マグネットコンタクトの接点の開閉回数、モータの駆動時間なども監視項目として監視する。
【００３４】
操作卓１２ａ、調光制御盤１２ｂ、昇降制御盤１２ｃは、中継装置１０とは専用ネットワークＮＬを通してデータ通信が可能であって、上述した種々の監視項目を状態情報として中継装置１０に転送する。
【００３５】
中継装置１０は、図３に示すように、操作卓１２ａ、調光制御盤１２ｂ、昇降制御盤１２ｃが監視した照明機器の状態情報を専用ネットワークＮＬを介して受信するデータ受信部１０ａを備える。操作卓１２ａ、調光制御盤１２ｂ、昇降制御盤１２ｃでは、照明機器の状態情報を中継装置１０に自発的に伝送するタイミングが適宜の時間間隔（たとえば、５分）に設定されており、中継装置１０では各種の状態情報を常時受信する。照明機器の状態情報として、たとえば、操作卓１２ａからはスイッチ類の操作回数、フェーダおよびジョイスティックの操作回数を取得し、操作卓１２ａからはブレーカのオンオフ、調光制御盤１２ｂの使用時間を取得し、昇降制御盤１２ｃからはコンタクト（電磁接触器）の接点の開閉回数、バトンの運転時間などを取得する。また、中継装置１０にはデータ集計部１０ｂが設けられ、データ集計部１０ｂでは、操作卓１２ａ、調光制御盤１２ｂ、昇降制御盤１２ｃから取得した照明機器の状態情報について、後述するタイマ部１０ｃからのタイミング信号に指示されたタイミング（たとえば、１時間毎、１日毎、１ヶ月毎）で最大値、最小値、平均値を求める集計処理を行う。
【００３６】
データ受信部１０ａで受信した各照明機器の状態情報とデータ集計部１０ｂで集計された各照明機器の状態情報とはデータ管理部１０ｄおよびファイル管理部１０ｅを通してハードディスク装置からなる記憶装置１０ｇに記憶させる。すなわち、データ管理部１０ｄは、データ受信部１０ａで受信した各照明機器の状態情報とデータ集計部１０ｂで集計された照明機器の状態情報とをファイル管理部１０ｅに転送し、ファイル管理部１０ｅは、データ管理部１０ｄから転送された複数種類の照明機器の状態情報を組にして記憶装置１０ｇに記憶させる。ここに、照明機器の状態情報の組は状態情報を受信した日時または状態情報を集計した日時に対応付けられたファイルとして記憶装置１０ｇに格納される。
【００３７】
また、データ管理部１０ｄは、タイマ部１０ｃからのタイミング信号に指示されたタイミングで、記憶装置１０ｇに記憶させた状態情報を読み出すとともに、読み出した状態情報をデータ転送部１０ｆを通してセンタサーバ２０に転送する機能を備える。ここに、記憶装置１０ｇはセンタサーバ２０に転送された状態情報であっても所定期間（たとえば、１ヶ月間）は保存する。このように記憶装置１０ｇに状態情報を保存することによって、センタサーバ２０への転送時に汎用ネットワークＮＷに異常が生じて状態情報を転送できない場合には再送することができ、またセンタサーバ２０において予測しない事態で状態情報が消失したとしても状態情報を復旧させることが可能になる。さらに、データ管理部１０ｄは、データ受信部１０ａで受信した状態情報が照明機器の異常を示しているときには、記憶装置１０ｇに状態情報を格納するだけではなく、データ転送部１０ｆを通してセンタサーバ２０に転送させる。
【００３８】
中継装置１０には、現在時刻に相当する時刻データを出力する時計部１０ｈも内蔵されており、上述したタイマ部１０ｃは時計部１０ｈから時刻データを受けてデータ集計部１０ｂおよびデータ管理部１０ｄにタイミング信号を出力する。タイマ部１０ｃにはデータ集計部１０ｂとデータ管理部１０ｄとにタイミング信号を与える時間間隔が規定されており、タイマ部１０ｃは時計部１０ｈから与えられる時刻データによって時間間隔を計りタイミング信号を発生する。タイマ部１０ｃは、データ集計部１０ｂに対しては、たとえば上述のように、１時間毎、１日毎、１ヶ月毎などで集計処理を行うようにタイミング信号を発生する。また、データ管理部１０ｄに対しては、データ集計部１０ｂで集計され記憶装置１０ｇに格納された状態情報（最小値、最大値、平均値）を記憶装置１０ｇから後述する規定の時間間隔で読み出してデータ転送部１０ｆに転送させるようにタイミング信号を発生する。
【００３９】
上述したように、中継装置１０からセンタサーバ２０に対して照明機器の状態情報を転送するタイミングは、照明機器が正常である間の状態情報については、タイマ部１０ｃからデータ管理部１０ｄに与えるタイミング信号により規定され、照明機器の異常もしくは特定状態を示す状態情報については、タイミング信号によらず状態情報の発生時点になる。ここで、照明機器が正常である間の状態情報について、中継装置１０からセンタサーバ２０に転送する時間間隔を比較的大きくとれば、汎用ネットワークＮＷの負荷を軽減することができるが、中継装置１０からセンタサーバ２０に対して照明機器の状態情報を転送する時間間隔が大きくなるほど、状態情報の発生からセンタサーバ２０が状態情報を取得するまでの時間差が大きくなる。そこで、本実施形態では、中継装置１０からセンタサーバ２０に照明機器の状態情報を転送する時間間隔が、中継装置１０の管理下にある照明機器の構成に応じて自動的に変更されるようにしている。つまり、タイマ部１０ｃがデータ管理部１０ｄに対してタイミング信号を発生する時間間隔が照明機器の構成に応じて変更されるようにしてある。また、データ集計部１０ｂにおいて照明機器の状態情報を取得して集計する時間間隔、つまりタイマ部１０ｃからデータ集計部１０ｂに対してタイミング信号を発生する時間間隔も照明機器の構成に応じて変更される。
【００４０】
具体的には、中継装置１０が管理している各スタジオごとの操作卓１２ａ、調光制御盤１２ｂ、昇降制御盤１２ｃの台数を登録したデータ取得設定ファイル１０ｊと、データ取得設定ファイル１０ｊに基づいてタイマ部１０ｃがタイミング信号を発生する時間間隔を決定するタイミング決定部１０ｉとを中継装置１０に設けている。データ取得設定ファイル１０ｊは、表１に示すように、スタジオごとの操作卓１２ａ、調光制御盤１２ｂ、昇降制御盤１２ｃの構成を格納したものである。ただし、本実施形態では照明機器の台数については考慮していない。つまり、照明機器の台数は操作卓１２ａ、調光制御盤１２ｂ、昇降制御盤１２ｃの台数に比例すると仮定している。また、タイマ部１０ｃからタイミング信号を発生する時間間隔は、テレビ局ＴＶ１，ＴＶ２，……を単位とするのではなく、スタジオを単位として決定される。
【００４１】
【表１】
2004104753.tif 000003
【００４２】
すなわち、タイミング決定部１０ｉでは、各スタジオごとの照明機器の状態情報をデータ集計部１０ｂで１日に集計する頻度Ｍａ〔回／日〕と、データ集計部１０ｂで集計した照明機器の状態情報をデータ管理部１０ｄからデータ転送部１０ｆおよびファイル管理部１０ｅに１日に転送する頻度Ｐａ〔回／日〕とを決定する。たとえば、スタジオＡに着目すると頻度Ｍａ，Ｐａは、以下の演算により求められる。
Ｍａ＝ｐ／（ｐ１・ＡＡ＋ｐ２・ＡＢ＋ｐ３・ＡＣ）
Ｐａ＝ｑ／（ｑ１・ＡＡ＋ｑ２・ＡＢ＋ｑ３・ＡＣ）
ただし、ｐ，ｐ１，ｐ２，ｐ３，ｑ，ｑ１，ｑ２，ｑ３は定数である。上式から明らかなように、操作卓１２ａ、調光制御盤１２ｂ、昇降制御盤１２ｃの台数が多くなるほど頻度Ｍａ，Ｐａは低くなるから、汎用ネットワークＮＷにおけるトラフィックの低減につながる。
【００４３】
タイミング決定部１０ｉでは、タイマ部１０ｃがタイミング信号を発生する時間間隔として上式で求めた頻度Ｍａ，Ｐａの逆数を用い、各スタジオごとに求めた時間間隔に応じてデータ集計部１０ｂおよびデータ管理部１０ｄに対してタイミング信号を与える時刻を決定する。
【００４４】
中継装置１０における上述した動作をまとめると図４のようになる。すなわち、中継装置１０の運用開始直後には、まず中継装置１０を設置しているテレビ局ＴＶ１，ＴＶ２，……における各スタジオごとの操作卓１２ａ、調光制御盤１２ｂ、昇降制御盤１２ｃの構成をデータ取得設定ファイル１０ｊに登録する（Ｓ１）。次に、タイミング決定部１０ｉが設定されたデータ取得設定ファイル１０ｊの内容を参照することにより（Ｓ２）、データ集計部１０ｂおよびデータ管理部１０ｄにタイミング信号を与える頻度を決定する（Ｓ３）。データ集計部１０ｂではデータ受信部１０ａを通して操作卓１２ａ、調光制御盤１２ｂ、昇降制御盤１２ｃから計測データ（つまり、照明機器の状態情報）を受け取っており（Ｓ４）、タイマ部１０ｃからデータ集計部１０ｂにタイミング信号が与えられると、データ集計部１０ｂでは計測データを集計する（Ｓ５）。その後、データ管理部１０ｄに対してタイマ部１０ｃからタイミング信号が与えられると（Ｓ６）、データ管理部１０ｄは、データ転送部１０ｆを通して汎用ネットワークＮＷに照明機器の状態情報を送出し、またファイル管理部１０ｅを通して記憶装置１０ｇに照明機器の状態情報を格納する（Ｓ７）。以後は、データ取得設定ファイル１０ｊの内容に変更がなければ（Ｓ８）、ステップＳ４に戻り、データ集計部１０ｂにタイミング信号が与えられるたびに操作卓１２ａ、調光制御盤１２ｂ、昇降制御盤１２ｃからの計測データを集計する。また、データ取得設定ファイル１０ｊの内容に変更があれば（Ｓ８）、ステップＳ２に戻りタイミング決定部１０ｉにおいてデータ取得設定ファイル１０ｊを参照して、タイミング信号を発生する時刻を修正する。
【００４５】
ところで、センタサーバ２０は、図５に示すように、汎用ネットワークＮＷを通して中継装置１０から転送された照明機器の状態情報を受信する通信処理部２０ａを備える。通信処理部２０ａを通して中継装置１０から受信した照明機器の状態情報はデータ管理部２０ｂに一旦保存される。センタサーバ２０にはハードディスク装置からなる記憶装置２０ｄが設けられており、センタサーバ２０に設けたタイマ部２０ｃからデータ管理部２０ｂにタイミング信号が与えられると、データ管理部２０ｂに保存された照明機器の状態情報が記憶装置２０ｄに格納される。記憶装置２０ｄはデータベースを構築するものであって、データ管理部２０ｂでは中継装置１０から受け取った照明機器の状態情報をデータベースのレコードに合致する形式に編成して記憶装置２０ｄに格納する。つまり、図６に示すように、センタサーバ２０の運用を開始すると、中継装置１０からの照明機器の状態情報を受信し（Ｓ１）、記憶装置２０ｄにより構築されるデータベースに照明機器の状態情報を格納する動作（Ｓ２）を繰り返す。
【００４６】
センタサーバ２０は、調光システム１２に設けた操作卓１２ａ、調光制御盤１２ｂ、昇降制御盤１２ｃでの電源のオンオフを状態情報として受信したときに、各装置別にオンからオフまでの時間を積算する積算演算部２０ｅを備え、積算演算部２０ｅにおいて求めた積算通電時間を記憶装置２０ｄに格納するようにしてある。ここで、中継装置１０は、操作卓１２ａ、調光制御盤１２ｂ、昇降制御盤１２ｃの電源のオンオフについての状態情報は、異常の発生と同様に即時にセンタサーバ２０に通知するように構成してあり、したがってセンタサーバ２０においては、操作卓１２ａ、調光制御盤１２ｂ、昇降制御盤１２ｃの積算通電時間を求めることができる。このように積算通電時間を求めることによって、部品の劣化の程度の目安を得ることができる。なお、通算積算時間は、後述するウェブサーバ２２を通して端末装置３０から閲覧可能になる。
【００４７】
操作卓１２ａ、調光制御盤１２ｂ、昇降制御盤１２ｃは、図７に示すように、監視項目のうちアナログ量の状態情報を収集するアナログ情報収集部４１を備える。アナログ情報収集部４１において収集した状態情報は閾値判定部４２に入力され、閾値テーブル４３において監視項目別に設定した閾値と比較される。閾値テーブル４３では、表２に示すように、監視項目ごとに複数段階の警告レベルが設定され、警告レベル別の閾値が設定される。
【００４８】
【表２】
2004104753.tif 000004
【００４９】
閾値判定部４２では、監視項目に対応するアナログ量を閾値テーブル４３に設定した複数段階の閾値と比較することによって、「軽警告」「中警告」「重警告」の別を判別する。また、着目するアナログ量が、いずれかの閾値を故障の程度が重くなる側に横切った時点を、「軽警告」「中警告」「重警告」の各イベントの発生時点とする。つまり、表２の例であれば、監視項目Ａに対応するアナログ量のアナログ量が閾値ｔａ１と閾値ｔａ２との間の値である期間に、閾値判定部４２において「軽警告」と判断するとともに、アナログ量が閾値ｔａ２に近付く向きに閾値ｔａ１を横切った時点を、「軽警告」というイベントの発生時点とし、このイベントを状態情報に用いる。
【００５０】
操作卓１２ａ、調光制御盤１２ｂ、昇降制御盤１２ｃには、閾値判定部４２での判別によりイベントが発生したときに、中継装置１０にイベントを転送するデータ送信部４４が設けられる。ところで、監視項目にもよるが、「軽警告」「中警告」は故障に近付いた兆候を示しているものの照明機器の実使用には差し支えない程度の劣化を意味しており、「重警告」は部品交換や修理が必要な程度の故障を意味している。したがって、「軽警告」「中警告」については中継装置１０の記憶装置１０ｇに蓄積するとともに適宜のタイミングでセンタサーバ２０に転送し、「重警告」についてはイベントの発生と同時に記憶装置１０ｇへの蓄積とともにセンタサーバ２０への転送を行う。
【００５１】
センタサーバ２０では、イベントに関する情報を日時とともに記憶装置２０ｄ（図５参照）に蓄積する。記憶装置２０ｄに蓄積したイベントに関する情報は、ウェブサーバ２２にも転送され、ウェブサーバ２２に設けたウェブページ呈示部２２ｂ（図９参照）では、イベントに関する情報を呈示したウェブページを生成する。したがって、当該ウェブページの閲覧が許可された端末装置３０ではウェブページを閲覧することによってイベントの発生を監視することが可能になる。つまり、「軽警告」「中警告」の経過を監視することによって、部品交換時期（たとえば、ランプの交換時期）を予定することが可能になる。なお、端末装置３０がウェブサーバ２２に接続した状態を継続するとともに閲覧しているウェブページを変更しなければ、中継装置１０から伝送される状態情報の変化をウェブページによって監視することが可能である。
【００５２】
ウェブサーバ２２には、メール処理部２２ｃ（図９参照）も設けられており、イベントが「重警告」であるときには、上述のようにスタジオに対応付けたメールアドレスを持つ端末装置３０に対して、電子メールによって「重警告」のイベントが発生したことを通知する。したがって、部品交換や修理が必要になる「重警告」が発生したときには、電子メールによってただちに通知される。端末装置３０として電子メールの受信が可能な携帯端末（移動体電話機など）を用いると、「重警告」の発生を場所によらず知ることができる。しかも、電子メールに「重警告」の内容も併せて示しておけば、交換部品や修理用具を用意して現場に向かうことが可能になるから、「重警告」への対応を迅速に行うことが可能になる。
【００５３】
ところで、操作卓１２ａでは、昇降制御盤１２ｂおよび昇降制御盤１２ｃの動作を監視制御するから、調光システム１２において発生する異常の有無を監視することができる。そこで、図８に示すように、調光システム１２において発生する状態情報から異常を検出する異常監視部４５を操作卓１２ａに設けてある。また、操作卓１２ａには、操作部４０の操作順序や操作時間のような運用情報を履歴として記憶する運用情報蓄積部４７が設けられている。操作部４０の操作は運用情報管理部４６により監視され、運用情報管理部４６が必要な情報を選別して運用情報蓄積部４７に格納する。また、運用情報蓄積部４７の記憶容量には制限があるから、運用情報蓄積部４７には過去の所定時間内の運用情報を格納する。運用情報蓄積部４７に蓄積された運用情報は、異常監視部４５において異常の発生が検知されたときに運用情報管理部４６によって読み出され、データ送信部４４を通して中継装置１０に転送される。ここで、運用情報は異常の発生に伴うデータであるから、中継装置１０ではセンタサーバ２０に対して運用情報を即時に転送する。
【００５４】
上述したように、調光システム１２において異常が検出されたときには、中継装置１０はセンタサーバ２０に異常の発生をただちに通知するが、異常の発生を通知しただけで内容を通知していない場合には現場で異常の内容を確認しなければ対策をとることができない。これに対して、本実施形態では、センタサーバ２０に異常の発生を通知する際に運用情報を併せて転送するから、センタサーバ２０に通知された内容を確認するだけで、現場に行かなくとも異常の原因を特定することが可能になることが多く、適切な交換部品や修理用具を準備して現場に行くことが可能になる。つまり、現場には１回行くだけで異常に対する対策が可能になる可能性が高くなり、異常のみを通知する場合のように現場に２回以上足を運ぶ場合に比較すると省力化につながる。しかも、履歴情報である運用情報は通常時には転送しないから、通常時には操作卓１２ａに内蔵したマイコンの負荷を調光システムの監視制御に割り当てることができ、高性能のマイコンを用いることなく調光システムにおける時間応答性の要求を満足することができる。このことは、コストの低減につながる。なお、上述の例では操作卓１２ａに運用情報蓄積部４７を設けて操作部４０の運用情報を蓄積しているが、調光制御盤１２ｂ、昇降制御盤１２ｃにおいて運用情報蓄積部を設けるとともに異常の監視を行い、操作卓１２ａと同様にして異常の発生時に運用情報とともにセンタサーバ２０に通知する構成を採用してもよい。
【００５５】
センタサーバ２０とともにサーバ装置を構成するウェブサーバ２２は、図９のように構成され、端末装置３０により閲覧可能なウェブページを生成するウェブページ呈示部２２ｂを備える。上述のように、ウェブページには使用者に応じたアクセス権が設定されており、各使用者はアクセス権に応じて閲覧可能なウェブページが規定される。アクセス権と閲覧可能なウェブページとの関係は、表３のような内容を持ったユーザデータベース２２ｇに設定される。すなわち、ユーザデータベース２２ｇでは、使用者を特定する情報（「使用者」および「会社名」）と、閲覧可能なウェブページ（「画面番号」で指定する）とを対応付けてあり、「使用者」としては使用者を認証するためのデータが設定される。
【００５６】
【表３】
2004104753.tif 000005
【００５７】
ここで、使用者が端末装置３０からウェブサーバ２２にアクセスするときには使用者を認証することが必要であって、端末装置３０から通信処理部２２ａを通して入力された認証用のデータは、ユーザデータベース２２ｇに格納されたデータとアクセス権判別部２２ｈにおいて照合され、ユーザデータベース２２ｇにおいて認証用のデータに対応する使用者が登録されているときには、当該使用者に対応する画面番号をウェブページ呈示部２２ｂに通知し、画面番号に対応したウェブページの端末装置３０による閲覧を可能とする。なお、使用者が管理会社である場合には、すべてのウェブページの閲覧が可能になるようにユーザデータベース２２ｇの内容が設定される。
【００５８】
上述のように、閲覧可能なウェブページを使用者ごとに自動的に選択するから、各使用者に応じてウェブページに呈示される状態情報の種類や内容を変更することができる。また、ユーザデータベース２２ｇに存在しない使用者にはウェブページの閲覧を許可しないから、第三者による不正使用を防止することができる。
【００５９】
上述したように、調光システム１２の異常がセンタサーバ２０に通知されると、センタサーバ２０はウェブサーバ２２に異常の発生を通知し、異常の発生が通知されたウェブサーバ２２では、あらかじめ登録されている端末装置３０に対して電子メールを送信するようになっている。電子メールはメール処理部２２ｃにおいて生成され、電子メールの送信先はスケジュールデータベース２２ｆの内容に従う。スケジュールデータベース２２ｆは、異常発生の場所（スタジオに相当する）と日付と時間帯と電子メールの送信先（メールアドレス）とを対応付けた表４のようなタイムスケジュールを登録したものである。調光システム１２における異常発生と異常発生の場所とが通信処理部２２ａを通してセンタサーバ２０から通知されると、ウェブサーバ２２に設けた照合処理部２２ｄでは、スケジュールデータベース２２ｆに登録された異常発生の場所を照合する。また、照合処理部２２ｄには時計部２２ｅから現在日時のデータが入力されており、現在日時もスケジュールデータベース２２ｆのタイムスケジュールに照合される。このように、異常発生の場所と現在日時とをタイムスケジュールに照合すれば、現在日時を含む時間帯における電子メールの送信先を決定することができる。照合処理部２２ｄにおいて電子メールの送信先が決定されると、メール処理部２２ｃでは当該送信先に通信処理部２２ａを通して電子メールを送信する。
【００６０】
【表４】
2004104753.tif 000006
【００６１】
スケジュールデータベース２２ｆにおけるタイムスケジュールを設定するために、ウェブサーバ２２にはスケジュール設定部２３を用が設けられている。スケジュール設定部２３は、ウェブページ呈示部２２ｂにより呈示されるウェブページを用いて端末装置３０から操作することができるように構成される。スケジュール設定部２３は、図１０に示すような画面構成のウェブページを呈示するカレンダ呈示部２３ａを備え、カレンダ呈示部２３ａが呈示するウェブページの画面には、日毎の予定記入欄を備えるカレンダ形式の予定表領域Ｄａと、上述のように認証された使用者に関連する電子メールの送信先を一覧表示する送信先一覧領域Ｄｂとが設けられる。予定表領域Ｄａでは１ヶ月分の予定を記入可能であり、日毎の予定記入欄は時間帯別に分割されている（図示例では午前と午後に分割した状態を想定している）。送信先一覧領域Ｄｂに表示される送信先は、スケジュール設定部２３に設けた送信先設定記憶部２３ｃに格納されており、送信先設定記憶部２３ｃに登録する送信先はウェブページから変更可能になっている。
【００６２】
予定表領域Ｄａの各時間帯と送信先一覧領域Ｄｂに一覧表示された端末装置３０のメールアドレス（メールアドレスでは冗長であるから、メールアドレスに対応付けた端末名を用いることが望ましい）とには、それぞれチェックボックスＢａ，Ｂｂが付設される。タイムスケジュールを設定するには、まず予定表領域Ｄａから所望の日時を選んでチェックボックスＢａにチェックを付ける。このとき、日時選択部２３ｂではチェックを付けた日時をスケジュールデータベース２２ｆに登録する。次に、チェックを付けた日時に電子メールを送信しようとする端末装置３０を送信先一覧領域Ｄｂから選択する。この選択の際にも端末装置３０に対応付けたチェックボックスＢｂにチェックを付ける。送信先にチェックを付けることによって送信先選択部２３ｄは、チェックを付けた送信先を送信先設定記憶部２３ｃから読み出してスケジュールデータベース２２ｆに登録する。なお、予定表領域Ｄａの各時間帯には複数個の端末装置３０を対応付けることも可能になっている。
【００６３】
予定表領域Ｄａの所要の日に送信先を設定した後には、ウェブページの画面に設けた登録釦（図示せず）を押す（マウスでクリックする）ことによって、予定表領域Ｄａの設定内容がスケジュールデータベース２２ｆに登録される。
【００６４】
上述のようにカレンダ形式である予定表領域Ｄａに送信先を記入することによってタイムスケジュールを設定することができるから、使用者は予定表の作成と同様の感覚でタイムスケジュールを設定することができ、タイムスケジュールを容易に設定することが可能になる。また、日毎および時間帯に応じて送信先を変更することができるから、調光システム１２を監視する使用者が交代制であるときにも、交代した使用者に応じた送信先を容易に設定することができる。しかも、タイムスケジュールの設定はウェブページにおいて行うことができるから、ウェブページの閲覧が許可されている使用者であれば端末装置３０を用いて遠方からタイムスケジュールを設定することができる。
【００６５】
なお、上述した構成では、サーバ装置の機能を、各別のコンピュータであるセンタサーバ２０とウェブサーバ２２とに振り分けているが、センタサーバ２０およびウェブサーバ２２としてのサーバ装置の全体の機能を１台のコンピュータにより実現することも可能である。また、上述の例では、スケジュールデータベース２２ｆやユーザデータベース２２ｇを、ウェブサーバ２２に設けた例を示しているが、センタサーバ２０の記憶装置２０ｄに、スケジュールデータベース２２ｆやユーザデータベース２２ｇとして機能する記憶領域を設けてもよい。
【００６６】
（第２実施形態）
実施形態１の構成では、中継装置１０に設けたデータ取得設定ファイル１０ｊに操作卓１２ａ、調光制御盤１２ｂ、昇降制御盤１２ｃの構成のみを登録していたが、本実施形態では操作卓１２ａ、調光制御盤１２ｂ、昇降制御盤１２ｃから得られる照明機器の状態情報ごとに重要度を設定しておき、タイミング決定部１０ｉにおいては、データ取得設定ファイル１０ｊに設定された重要度を加味して各状態情報毎の集計および転送のタイミングを決定するようにしている。つまり、第１実施形態において説明したように、中継装置１０では、操作卓１２ａ、調光制御盤１２ｂ、昇降制御盤１２ｃから各種監視項目の状態情報を取得しており、本実施形態では、これらの状態情報に対してそれぞれ重要度を設定している。重要度はスタジオの規模に応じた照明機器の台数やスタジオの使用目的も考慮して決定する。たとえば、照明機器の台数が多ければ１台の照明機器に故障があっても他の照明機器で代用可能な場合があるから重要度は低くなる。また、スタジオが生放送用であれば放送中に照明機器に異常が生じると不都合であるから録画放送用のスタジオよりも重要度が高くなる。重要度を示す値には１以上の値を用い、重要度が高くなるほど重要度を示す値が大きくなるように設定する。すなわち、本実施形態でのデータ取得設定ファイル１０ｊは表５のような形式になる。
【００６７】
【表５】
2004104753.tif 000007
【００６８】
いま、スタジオＡにおいて操作卓１２ａから得られるデータ（状態情報）ＤＡＡａに着目するものとし、表５に示したデータ取得設定ファイル１０ｊにおける重要度の値ＶＡＡａを用いて、データ集計部１１ｂおよびデータ管理部１１ｄにそれぞれタイミング信号を与える頻度ＭＡａ，ＰＡａを次式で求める。
ＭＡａ＝ｐ×ＶＡＡａ
ＰＡａ＝ｑ×ＶＡＡａ
ただし、ｐ，ｑは定数である。
【００６９】
上述のように、本実施形態では中継装置１０が操作卓１２ａ、調光制御盤１２ｂ、昇降制御盤１２ｃから取得するデータの種類ごとに重要度に基づいて頻度ＭＡａ，ＰＡａを求めており、重要度の高い状態情報ほど集計および転送の頻度が高くなるから、重要度の高い状態情報ほど異常の兆候を発見しやすくなる。他の構成および動作は第１実施形態と同様であるから説明を省略する。
【００７０】
（第３実施形態）
第１実施形態の構成では状態情報の集計および転送のタイミングを決定するために操作卓１２ａ、調光制御盤１２ｂ、昇降制御盤１２ｃの種類と台数のみに着目しており照明機器の台数などは考慮されていない。また、第２実施形態の構成では中継装置１０が取得する状態情報ごとの重要度を考慮して状態情報の集計および転送のタイミングを決定しており、重要度を設定するに際して照明機器の台数を考慮することはできるものの、照明機器の台数を直接反映させているものではない。本実施形態は、照明機器の台数をデータ取得設定ファイル１０ｊのデータとするものであり、第１実施形態と同様に、各スタジオごとの操作卓１２ａ、調光制御盤１２ｂ、昇降制御盤１２ｃの台数が登録されるのはもちろんのこと、各操作卓１２ａ、調光制御盤１２ｂ、昇降制御盤１２ｃごとに管理下の照明機器の種類と台数とが登録される。たとえば、操作卓１２ａについては、照明機器の台数に応じてスイッチの個数およびフェーダの個数が変わるから、スイッチおよびフェーダの個数をデータ取得設定ファイル１０ｊに登録する。また、調光制御盤１２ｂについては、照明機器の台数に応じて調光器の台数が変化するから、調光器の台数をデータ取得設定ファイル１０ｊに登録する。昇降制御盤１２ｃでは照明器具および背景用パネルを吊下するバトンの本数が照明器具などの照明機器の台数に関連するから、バトンの本数をデータ取得設定ファイル１０ｊに登録する。
【００７１】
本実施形態においてデータ取得設定ファイル１０ｊに登録されるデータは、照明機器の構成が決まれば自動的に決定されるから、第２実施形態の構成に比較するとデータ取得設定ファイル１０ｊの作成が容易になる。ただし、本実施形態ではデータ取得設定ファイル１０ｊに格納されているデータと操作卓１２ａ、調光制御盤１２ｂ、昇降制御盤１２ｃから取得する状態情報との間に一対一の関係がないから、タイミング決定部１０ｉでは第１実施形態と同様にスタジオを単位として状態情報の集計および転送のタイミングを決定することになる。つまり、スタジオ内の各照明機器の台数に相当するデータを用い、中継装置１０が操作卓１２ａ、調光制御盤１２ｂ、昇降制御盤１２ｃから取得する状態情報を集計し、センタサーバ２０および記憶装置１０ｇに一括して状態情報を転送する。他の構成および機能は第１実施形態と同様であるから説明を省略する。
【００７２】
（第４実施形態）
本実施形態は、汎用ネットワークＮＷの帯域を間欠的に監視する帯域監視部（図示せず）を中継装置１０に付加し、帯域監視部において取得した汎用ネットワークＮＷの帯域をデータ取得設定ファイル１０ｊに保存し、タイミング決定部１０ｉではデータ取得設定ファイル１０ｊに保存した汎用ネットワークＮＷの帯域を用いて、タイマ部１０ｃからタイミング信号を発生させる時間間隔を決定する。
【００７３】
具体的には、図１１に示すように、中継装置１０の運用を開始すると、まず帯域監視部において汎用ネットワークＮＷにおける帯域を計測する（Ｓ２）。帯域の計測は一定時間ごとに定期的に行われ（Ｓ１）、帯域を求めるたびに前回求めた帯域と比較される（Ｓ３）。ここで、帯域に変化が生じたときには、変化後の帯域をデータ取得設定ファイル１０ｊに格納する。
【００７４】
上述の手順で汎用ネットワークＮＷの帯域がデータ取得設定ファイル１０ｊに格納されると、表６のように各テレビ局ＴＶ１，ＴＶ２，……ごとに帯域Ｖ１，Ｖ２，……が対応付けられる。
【００７５】
【表６】
2004104753.tif 000008
【００７６】
タイミング決定部１０ｉでは、帯域に適宜の定数を乗じることによってタイミング信号を発生させる頻度を決定する。つまり、広帯域であるほど（伝送速度が速いほど）タイミング信号の発生頻度を高くするのである。他の構成および動作は第１実施形態と同様であるから説明を省略する。
【００７７】
【発明の効果】
請求項１の発明は、中継装置が調光システムの状態情報を一時的に蓄積するとともに、規定した条件が満たされたときに中継装置からサーバ装置に状態情報を転送するから、調光システムに含まれる機器の構成に変更が生じたときに、状態情報を転送するタイミングの条件設定を行うだけで、状態情報を適正なタイミングで伝送することが可能になる。つまり、状態情報の転送のタイミングを調光システムの構成に柔軟に対応させることが可能になり、中継装置において照明機器からのデータを収集して一時的に記憶するのに要する記憶容量や中継装置からサーバ装置に状態情報を転送する際のネットワークのトラフィックを適正に調節することが可能になるという効果がある。
【００７８】
請求項２の発明は、サーバ装置が提供するウェブページを端末装置で閲覧することにより、調光システムの状態情報を端末装置で取得することができるという効果がある。
【００７９】
請求項３の発明は、使用者ごとに適正なウェブページを呈示させることができ、使用者にとって不要な情報を与えることがなく、また第三者による不正な閲覧を防止することができる。
【００８０】
請求項４の発明は、管理者に通知する必要のある状態情報は電子メールによって端末装置に即時に通知されるから、状態情報のうち通知の緊急性を要する異常などの状態情報については異常の発生から比較的短時間で通知することが可能になるという効果がある。
【００８１】
請求項５の発明は、電子メールの送信先をタイムスケジュールによって変更することができるから、使用者（管理者）が日時によって交代するような場合でも、異常の発生時に適正な使用者に通知することができ、異常に対して確実な対処が可能になる。また、タイムスケジュールの設定にあたってカレンダ形式の予定表領域をウェブページに呈示するから、通常の予定表に書き込むようにしてタイムスケジュールを設定することができ、タイムスケジュールの設定作業が容易である。
【００８２】
請求項６の発明は、調光システムを構成する照明機器に変更が生じたときに変更した内容をデータ取得設定ファイルに登録するだけで、調光システムから中継装置が状態情報を集計するタイミングおよび中継装置からサーバ装置に状態情報を転送するタイミングがタイミング決定部において自動的に設定されるから、調光システムに含まれる照明機器の構成の変更に柔軟に対応することが可能になる。その結果、中継装置において照明機器からのデータを集計して一時的に記憶するのに要する記憶容量、および中継装置からセンタサーバに照明機器の状態情報を転送する際のネットワークに対する負荷を適正に調節することが可能になるという利点がある。
【００８３】
請求項７の発明は、テレビ局のスタジオ、舞台、宴会場などの１空間を単位として各空間に配置された複数台の照明機器を所定の機器で一括管理し前記所定の機器の種類と台数とを用いてタイミングを決定するから、１空間を単位とする照明機器を前記所定の機器によって一元的に管理することで照明機器の管理が容易になるとともに、１空間を単位として照明機器の状態情報を収集するタイミングおよび状態情報をセンタサーバに転送するタイミングを決定することができるという利点がある。
【００８４】
請求項８の発明は、照明機器のデータの重要度に基づいて照明機器のデータの収集および転送のタイミングを決定するから、たとえば、緊急性の高いデータの収集および転送の頻度を高めたり、異常の発生に対する許容度の低い照明機器についてデータの収集および転送の頻度を高めたりすることができる。
【００８５】
請求項９の発明は、照明機器の種類ごとにデータの収集および転送のタイミングを設定するから、照明機器のデータの収集および転送のタイミングの設定にあたって照明機器の構成を正確に反映させることができる。
【００８６】
請求項１０の発明は、照明機器のデータの収集および転送のタイミングに照明機器の構成を反映していないが、中継装置ごとに汎用ネットワークの帯域に応じてタイミングを設定するから、データの収集および転送のタイミングの設定が容易である。
【００８７】
請求項１１の発明は、調光システムから得られるアナログ量を複数段階の閾値と比較することによって警告レベルを判別しているから、照明機器に用いるランプのような寿命のある部材について、寿命を予測することで交換時期を知ることが可能になる。
【００８８】
請求項１２の発明は、異常発生時に状態情報の履歴を運用情報としてサーバ装置に併せて転送するから、現場を確認しなくとも運用情報によって異常の発生原因を知ることができる可能性が高く、あらかじめ異常の原因に対処するための交換部品や修理用具を用意して現場に向かうことが可能になり、結果的に、省力化につながる。また、通常時には運用情報は蓄積しているだけであるから、調光システムとしての通常動作における負荷が増加することはない。
【００８９】
請求項１３の発明は、調光システムに用いる所定の機器の積算通電時間を求めることにより、通電時間によって寿命が予測できる部材について交換時期を予測することが可能になる。しかも、中継装置からサーバ装置に対してはオンオフのみを状態情報として伝送するから汎用ネットワークの負荷増がほとんど生じない。
【００９０】
請求項１４の発明は、照明機器の構成に変更が生じたときに変更した内容をデータ取得設定ファイルに登録することによって、照明機器からの状態情報を集計するタイミングおよびサーバ装置にデータを転送するタイミングがタイミング決定部において自動的に設定されるから、照明機器の構成の変更に柔軟に対応することが可能になる。その結果、照明機器からのデータを集計して一時的に記憶するのに要する記憶容量、およびサーバ装置に照明機器のデータを転送する際のネットワークに対する負荷を適正に調節することが可能になる。
【００９１】
請求項１５の発明は、請求項１４記載の中継装置に汎用ネットワークを介して接続され中継装置が収集した照明機器の状態情報が転送されるサーバ装置であって、中継装置から受信した照明機器の状態情報を第２の記憶装置に格納する第２のデータ管理部と、中継装置から受信した照明機器の状態情報の中に管理者に通知する必要のある状態情報が含まれているときに汎用ネットワークに接続された端末装置に電子メールを発信するメール処理部とを備えることを特徴とする。
請求項１５の発明は、請求項１４の発明と同様の効果を奏する上に、中継装置から転送された照明機器の状態情報に管理者に通知する必要のある状態情報が含まれているときには電子メールによって管理者に通知することができ、照明機器の管理者は電子メールの受信が可能な端末装置を保持しておけばよく、調光システムでの異常発生に対して迅速に対応することが可能になる。また、電子メールは複数箇所に同時に配信することができるから、調光システムでの異常発生を複数の管理者に同時に通知することができる。
【図面の簡単な説明】
【図１】本発明の全体構成を示す概略構成図である。
【図２】同上の概略構成図である。
【図３】同上に用いる中継装置を示すブロック図である。
【図４】同上に用いる中継装置の動作を示す流れ図である。
【図５】同上に用いるセンタサーバを示すブロック図である。
【図６】同上に用いるセンタサーバの動作を示す流れ図である。
【図７】同上に用いる調光システムの要部ブロック図である。
【図８】同上に用いる操作卓の要部ブロック図である。
【図９】同上に用いるウェブサーバを示すブロック図である。
【図１０】同上におけるウェブページの画面例を示す図である。
【図１１】本発明の第４実施形態に用いる中継装置の動作を示す流れ図である。
【符号の説明】
１０　中継装置
１０ｂ　データ集計部
１０ｄ　データ管理部
１０ｉ　タイミング決定部
１０ｊ　データ取得設定ファイル
１２　調光システム
２０　センタサーバ
２０ｃ　タイマ部
２０ｅ　積算演算部
２２　ウェブサーバ
２２ｂ　ウェブページ呈示部
２２ｃ　メール処理部
２２ｄ　照合処理部
２２ｆ　スケジュールデータベース
２２ｇ　ユーザデータベース
２２ｈ　アクセス権判定部
２３　スケジュール設定部
３０　端末装置
４５　異常監視部
４６　運用情報管理部
４７　運用情報蓄積部
Ｄａ　予定表領域
ＮＬ　専用ネットワーク
ＮＷ　汎用ネットワーク
【図１】
2004104753.tif 000009
【図２】
2004104753.tif 000010
【図３】
2004104753.tif 000011
【図４】
2004104753.tif 000012
【図５】
2004104753.tif 000013
【図６】
2004104753.tif 000014
【図７】
2004104753.tif 000015
【図８】
2004104753.tif 000016
【図９】
2004104753.tif 000017
【図１０】
2004104753.tif 000018
【図１１】
2004104753.tif 000019